(57)【要約】      （修正有）【課題】布帛の端を検知して、リアルタイムで調整、制御を行うベルト駆動式染色機を提供する。【解決手段】本体１と、本体１にガイドローラー４と、ベルトコンベアー２とを内設するとともに、染色液６を加圧するポンプ７と、ポンプ７で加圧された染料液６の温度を調整する熱交換機８と、熱交換機８によって温度を調整した染料液６を吐出するノズル５を具え、かつ布帛３と染料液６とを通過させる布帛染色管１１と、布帛染色管１１の布帛３と染料液６とが進入する一端に設けて布帛３の端を検知する布帛端検知装置１０を具え、布帛端検知装置１０に電気的に接続して布帛端検知装置１０の出力する電気信号を受信し、ベルトコンベアー２とガイドローラー４の速度を制御する制御ボックスを本体１の外部に設ける。【選択図】図１
0003199038.tif 000002
【実用新案登録請求の範囲】
【請求項１】
本体と、該本体に内設するガイドロールと、ベルトコンベアーとを有するとともに、染色液を加圧するポンプと、該ポンプで加圧された染料液の温度を調整する熱交換機と、該熱交換機によって温度を調整した染料液を吐出するノズルを具え、かつ該布帛と該染料液とを通過させる布帛染色管と、該布帛染色管の該布帛と該染料液とが進入する一端に設けて布帛の端を検知する布帛端検知装置とを具え、
該布帛端検知装置に電気的に接続して該布帛端検知装置の出力する電気信号を受信し、該ベルトコンベアーと該ガイドローラーの速度を制御する制御ボックスを該本体の外部に設けることを特徴とする布帛の端を検知する検知装置を具えたベルト駆動式染色機。
【考案の詳細な説明】
【技術分野】
【０００１】
この考案は、ベルトコンベアーとガイドローラーとの布帛循環速度に基づく同期運転を監視して記録し、かつガイドローラーとベルトコンベアーと布帛の循環速度が同期しているか検知して、リアルタイムで調整、制御を行うベルト駆動式染色機に関する。
【背景技術】
【０００２】
従来の布帛の端の検知装置は、布帛を循環させ時間と回数とを検知して、検知信号を出力して記録、表示に供し、かつ自動的に布帛の端を検知して染色機を停止させることによって、布帛の端を見つける時間を省くものである。
【０００３】
但し、従来のベルト駆動式染色機における布帛の端の検知装置の作用が上述するだけでは不十分である。ベルト駆動式染色機においては布帛と、ベルトコンベアーと、ガイドローラーとの回転速度を同期させる必要がある。即ち、染色過程において、染色する布帛の長さ、重さ、もしくはｇ／ｙｄ重量などのデータの入力が往々にして不正確であること、さらには染色機の染色筒内の温度によって染料と助剤とに物理的、もしくは化学的変化が発生して布帛の実際に循環する時間と予め入力した時間との間に誤差が生じ、このため布帛が絡まったり、詰まったりして順調な循環に影響を与えることがある。
【考案の概要】
【考案が解決しようとする課題】
【０００４】
この考案は、布帛の端を検知するとともに、布帛の実際に循環する時間を検知し、布帛と、ベルトコンベアーと、ガイドローラーとの回転速度を制御して同期させ、布帛の順調な循環を達成できる布帛の端を検知する検知装置を具えたベルト駆動式染色機を提供することを課題とする。
【課題を解決するための手段】
【０００５】
そこで、本考案者は従来のベルト駆動式染色機に見られる欠点に鑑み鋭意研究を重ねた結果、本体と、該本体に内設するガイドロールと、ベルトコンベアーとを有するとともに、染色液を加圧するポンプと、該ポンプで加圧された染料液の温度を調整する熱交換機と、該熱交換機によって温度を調整した染料液を吐出するノズルとを具え、かつ該布帛と該染料液とを通過させる布帛染色管と、該布帛染色管の該布帛と該染料液とが進入する一端に設けて布帛の端を検知する布帛端検知装置とを具え、該布帛端検知装置に電気的に接続して該布帛端検知装置の出力する電気信号を受信し、該ベルトコンベアーと該ガイドローラーの速度を制御する制御ボックスを該本体の外部に設けてなるベルト駆動式染色機によって課題を解決できる点に着眼し、係る知見に基づいて本考案を完成させた。
【０００６】
以下、この考案について説明する。請求項１に記載する布帛の端を検知する検知装置を具えたベルト駆動式染色機は、本体と、該本体に内設するガイドロールと、ベルトコンベアーとを有するとともに、染色液を加圧するポンプと、該ポンプで加圧された染料液の温度を調整する熱交換機と、該熱交換機によって温度を調整した染料液を吐出するノズルを具え、かつ該布帛と該染料液とを通過させる布帛染色管と、該布帛染色管の該布帛と該染料液とが進入する一端に設けて布帛の端を検知する布帛端検知装置とを具え、該布帛端検知装置に電気的に接続して該布帛端検知装置の出力する電気信号を受信し、該ベルトコンベアーと該ガイドローラーの速度を制御する制御ボックスを該本体の外部に設ける。
【図面の簡単な説明】
【０００７】
【図１】この考案によるベルト駆動式染色機の構造と動作を示した説明図である。
【考案を実施するための形態】
【０００８】
この考案は、布帛の端を検知するとともに、布帛の実際に循環する時間を検知し、布帛と、ベルトコンベアーと、ガイドローラーとの回転速度を制御して同期させ、布帛の順調な循環を達成できる布帛の端を検知する検知装置を具えたベルト駆動式染色機を提供するものであって、本体と、該本体に内設するガイドロールと、ベルトコンベアーとを有するとともに、染色液を加圧するポンプと、該ポンプで加圧された染料液の温度を調整する熱交換機と、該熱交換機によって温度を調整した染料液を吐出するノズルを具え、かつ該布帛と該染料液とを通過させる布帛染色管と、該布帛染色管の該布帛と該染料液とが進入する一端に設けて布帛の端を検知する布帛端検知装置とを具え、  該布帛端検知装置に電気的に接続して該布帛端検知装置の出力する電気信号を受信し、該ベルトコンベアーと該ガイドローラーの速度を制御する制御ボックスを該本体の外部に設ける。係るベルト駆動式染色機の構造と特徴を説明するために、具体的な実施例を挙げ、図面を参照にして以下に詳述する。
【実施例】
【０００９】
図１に開示するように、この考案による布帛の端を検知する検知装置を具えたベルト駆動式染色機は、本体１を具え、本体１内に染色する布帛３を循環させるガイドロール２と、ベルトコンベアー２とを内設するとともに、染色液６を加圧するポンプ７と、ポンプ７で加圧された染料液６の温度を調整する熱交換機８と、熱交換機８によって温度を調整した染料液を吐出するノズル７とを具え、かつ布帛３と染料液６とを通過させる布帛染色管１１と、布帛染色管１１の布帛３と染料液６とが進入する一端に設けて布帛３の端を検知する布帛端検知装置１０とを具える。
【００１０】
また、コンピュータか、もしくはプログラマブルロジックコントローラである制御手段を内設し、布帛端検知装置１０に電気的に接続して、布帛端検知装置１０の出力する電気信号を受信してベルトコンベアー２とガイドローラー４の速度を制御する制御ボックスを本体１の外部に設ける。
【００１１】
上述する染色機は、布帛３を本体１後方から前端に送る。布帛３はガイドローラー４にガイドされて、ノズル５と染色管１２に進入する。
【００１２】
染料液６は、ポンプ７を通過して加圧され、熱交換機８によって温度が制御され、ノズル５から吐出されて布帛５に染色の作用をする。
【００１３】
布帛３は布帛染色管１１に進入し、さらにベルトコンベアー２に至り、本体１の前端に送られて環状の循環運動を行ない、染色加工の工程を進行させる。
【００１４】
布帛端検知装置１０は出力された布帛３が循環する時間を検知して、制御ボックス９に内設したコンピュータか、もしくはプログラマブルロジックコントローラでベルトコンベアー２とガイドローラー４の速度を制御するか調整して、布帛３とベルトコンベアー２とガイドローラー４との速度が同期して作動するように正確に制御する。
【符号の説明】
【００１５】
１                   本体
１０               布帛端検知装置
１１               布帛染色管
２                   ベルトコンベアー
３                   布帛
４                   ガイドローラー
５                   ノズル
６                   染料液
７                   ポンプ
８                   熱交換機
９                   制御ボックス
【図１】
0003199038.tif 000003
【手続補正書】
【提出日】平成27年6月2日(2015.6.2)
【手続補正１】
【補正対象書類名】実用新案登録請求の範囲
【補正対象項目名】請求項１
【補正方法】変更
【補正の内容】
【請求項１】
本体と、該本体に内設するガイドローラーと、ベルトコンベアーとを有するとともに、染色液を加圧するポンプと、該ポンプで加圧された染料液の温度を調整する熱交換機と、該熱交換機によって温度を調整した染料液を吐出するノズルを具え、かつ該布帛と該染料液とを通過させる布帛染色管と、該布帛染色管の該布帛と該染料液とが進入する一端に設けて布帛の端を検知する布帛端検知装置とを具え、
該布帛端検知装置に電気的に接続して該布帛端検知装置の出力する電気信号を受信し、該ベルトコンベアーと該ガイドローラーの速度を制御する制御ボックスを該本体の外部に設けることを特徴とする布帛の端を検知する検知装置を具えたベルト駆動式染色機。
【手続補正２】
【補正対象書類名】明細書
【補正対象項目名】０００５
【補正方法】変更
【補正の内容】
【０００５】
そこで、本考案者は従来のベルト駆動式染色機に見られる欠点に鑑み鋭意研究を重ねた結果、本体と、該本体に内設するガイドローラーと、ベルトコンベアーとを有するとともに、染色液を加圧するポンプと、該ポンプで加圧された染料液の温度を調整する熱交換機と、該熱交換機によって温度を調整した染料液を吐出するノズルとを具え、かつ該布帛と該染料液とを通過させる布帛染色管と、該布帛染色管の該布帛と該染料液とが進入する一端に設けて布帛の端を検知する布帛端検知装置とを具え、該布帛端検知装置に電気的に接続して該布帛端検知装置の出力する電気信号を受信し、該ベルトコンベアーと該ガイドローラーの速度を制御する制御ボックスを該本体の外部に設けてなるベルト駆動式染色機によって課題を解決できる点に着眼し、係る知見に基づいて本考案を完成させた。
【手続補正３】
【補正対象書類名】明細書
【補正対象項目名】０００６
【補正方法】変更
【補正の内容】
【０００６】
以下、この考案について説明する。請求項１に記載する布帛の端を検知する検知装置を具えたベルト駆動式染色機は、本体と、該本体に内設するガイドローラーと、ベルトコンベアーとを有するとともに、染色液を加圧するポンプと、該ポンプで加圧された染料液の温度を調整する熱交換機と、該熱交換機によって温度を調整した染料液を吐出するノズルを具え、かつ該布帛と該染料液とを通過させる布帛染色管と、該布帛染色管の該布帛と該染料液とが進入する一端に設けて布帛の端を検知する布帛端検知装置とを具え、該布帛端検知装置に電気的に接続して該布帛端検知装置の出力する電気信号を受信し、該ベルトコンベアーと該ガイドローラーの速度を制御する制御ボックスを該本体の外部に設ける。
【手続補正４】
【補正対象書類名】明細書
【補正対象項目名】０００８
【補正方法】変更
【補正の内容】
【０００８】
この考案は、布帛の端を検知するとともに、布帛の実際に循環する時間を検知し、布帛と、ベルトコンベアーと、ガイドローラーとの回転速度を制御して同期させ、布帛の順調な循環を達成できる布帛の端を検知する検知装置を具えたベルト駆動式染色機を提供するものであって、本体と、該本体に内設するガイドローラーと、ベルトコンベアーとを有するとともに、染色液を加圧するポンプと、該ポンプで加圧された染料液の温度を調整する熱交換機と、該熱交換機によって温度を調整した染料液を吐出するノズルを具え、かつ該布帛と該染料液とを通過させる布帛染色管と、該布帛染色管の該布帛と該染料液とが進入する一端に設けて布帛の端を検知する布帛端検知装置とを具え、該布帛端検知装置に電気的に接続して該布帛端検知装置の出力する電気信号を受信し、該ベルトコンベアーと該ガイドローラーの速度を制御する制御ボックスを該本体の外部に設ける。係るベルト駆動式染色機の構造と特徴を説明するために、具体的な実施例を挙げ、図面を参照にして以下に詳述する。
【手続補正５】
【補正対象書類名】明細書
【補正対象項目名】０００９
【補正方法】変更
【補正の内容】
【０００９】
図１に開示するように、この考案による布帛の端を検知する検知装置を具えたベルト駆動式染色機は、本体１を具え、本体１内に染色する布帛３を循環させるガイドローラー４と、ベルトコンベアー２とを内設するとともに、染色液６を加圧するポンプ７と、ポンプ７で加圧された染料液６の温度を調整する熱交換機８と、熱交換機８によって温度を調整した染料液を吐出するノズル７とを具え、かつ布帛３と染料液６とを通過させる布帛染色管１１と、布帛染色管１１の布帛３と染料液６とが進入する一端に設けて布帛３の端を検知する布帛端検知装置１０とを具える。